(57)【要約】      （修正有）【課題】大径のロープ等の厚肉部を側縁に有するネット状材やシート状材を仕切り材として用いた場合においても、容易に見栄えよく仕切り材の側縁部を挟着固定することができる仕切り材支持用棒材およびこの仕切り材支持用棒材を備えた仕切り材の側縁支持ユニットを提供する。【解決手段】仕切り材支持用棒材１の棒材本体１１の一側壁１１ａに凹溝１２を設け、仕切り材の側縁厚肉部となる大径の補強ロープ３２部分を凹溝内に挿入状態とするとともに、仕切り材本体としてのネット本体３１の側縁部を仕切り材挟着部１３の挟着面１３ａと、固定部材２の固定部本体２１との間で挟着するとともに、固定部材の立ち上がり部２２で凹溝の開口からの補強ロープの離脱を防止するようにした。【選択図】図３
0003233936.tif 000002
【実用新案登録請求の範囲】
【請求項１】
上方に設けられるガイドレールに懸垂状態で、前記ガイドレールの軌道に沿ってスライド自在に支持される角筒状をした棒材本体と、この棒材本体の軸方向に連続する状態で、棒材本体の一側壁から延出し、シート状またはネット状をした仕切り材の側縁部を受けて、固定部材との間で前記仕切り材の側縁部を挟着する挟着面を有する仕切り材挟着部を備える仕切り材支持用棒材であって、
前記仕切り材が、仕切り材本体と、
この仕切り材本体より厚肉で、前記仕切り材本体の側縁に沿って設けられた側縁厚肉部を備える場合に、
前記仕切り材本体の側縁部が前記仕切り材挟着部に密着した状態で、前記側縁厚肉部を挿入可能な凹溝が、前記棒材本体の前記仕切り材挟着部が設けられた面に設けられていることを特徴とする仕切り材支持用棒材。
【請求項２】
前記凹溝の一側壁が、前記仕切り材挟着部の挟着面に連続した状態に設けられている請求項１に記載の仕切り材支持用棒材。
【請求項３】
前記凹溝が、その底が断面半円形をした断面略Ｕ字形をしている請求項１または請求項２に記載の仕切り材支持用棒材。
【請求項４】
請求項１〜請求項３のいずれかに記載の仕切り材支持用棒材と、前記固定部材を備え、
前記固定部材が前記仕切り材本体の側縁部分を前記仕切り材挟着部との間で挟着する固定部本体と、この固定部本体から立ち上がり、前記凹溝の開口部を覆い、前記凹溝に入り込んだ前記側縁厚肉部の離脱を防止する立ち上がり部からなることを特徴とする仕切り材の側縁部支持ユニット。
【考案の詳細な説明】
【技術分野】
【０００１】
本考案は、仕切り材支持用棒材およびこの仕切り材支持用棒材を備えた仕切り材の側縁支持ユニットに関する。
【背景技術】
【０００２】
工場や  間仕切りカーテンなどと称される間仕切りは、会議室、宴会場、応接室、工場などの種々の空間を開閉自在に仕切るために広く利用されている。
このような間仕切りとしては、図６、図７に示すような間仕切りＸが既に提案されている（特許文献１）。
すなわち、この間仕切りＸは、間仕切り本体としてのシート状をした可撓性を有する仕切り材１００を備えている。
【０００３】
仕切り材１００は、後述するガイドレールに沿ってスライド自在となる仕切り材支持用棒材２００にその側縁部が支持固定されている。
すなわち、仕切り材支持用棒材２００は、一般に、アルミニウムあるいはアルミニウム合金などの軽量金属材料を押出成形したものが使用されていて、棒材本体２１０と、仕切り材挟着部２２０を備えている。
【０００４】
棒材本体２１０は、平面視略矩形の筒状をしている。
仕切り材挟着部２２０は、棒材本体２１０を、上下方向に軸を向けた状態で、挟着面２２１が棒材本体の一側面の前後方向の中間部から棒材本体２１０の一側面に直交するように設けられている。
【０００５】
また、仕切り材支持用棒材２００は、棒材本体２１０の仕切り材挟着部２２０が設けられた面の反対側の面に沿って、図６、図７に示すように、隣接する仕切り材支持用棒材２００間を閉じた状態に保持するゴム磁石３００が嵌合する第１嵌合溝２３０が設けられているとともに、図６に示すように、仕切り材挟着部２２０が設けられた面と直交する面に沿って、ハンドル４００を嵌合する第２嵌合溝２４０が設けられている。
そして、仕切り材支持用棒材２００は、図６に示すように、上端にローラーユニット５００が取り付けられ、このローラーユニット５００のローラー５１０が、天井側に設けられたガイドレール（図示せず）にスライド自在に嵌まり込むことによって、前記ガイドレールの軌道に沿うように移動可能にガイドレールに吊下げ状態に支持されるようになっている。
【０００６】
シート状の間仕切り材１００は、その側縁部が天井側に敷設されたガイドレール（図示せず）に沿ってスライド可能に吊下げられた仕切り材支持用棒材２００の仕切り材挟着部２２０の挟着面２２１と、固定部材６００との間に挟着された状態で支持されている。
【０００７】
そして、仕切り材支持用棒材２００には、以下のようにして仕切り材１００の側縁部が固定されるようになっている。
すなわち、図６に示すように、前記側縁部を仕切り材挟着部２２０の挟着面２２１の沿うように配置した状態で、挟着面２２１と固定部材６００と間で前記側縁部を挟み込んだのち、固定部材６００側から仕切り材挟着部２２０側に向かって固定ビス７００をねじ込んで、図７に示すように、側縁部を挟着面２２１と固定部材６００との間に挟着された状態に保持するようになっている。
【先行技術文献】
【特許文献】
【０００８】
【特許文献１】特開2017-53217号公報
【考案の概要】
【考案が解決しようとする課題】
【０００９】
一方、たとえば、大型商業施設のテナントと通路等の共用スペースとを仕切る間仕切りの仕切り材としては、ネット状のものが用いられる場合がある。
そして、このようなネット状の仕切り材としては、可撓性の線条材が編まれたネット本体を有し、このネット本体の周縁を、ネット本体を構成する線条材より大径の補強ロープで補強されたものが用いられることがある。
【００１０】
しかし、上記補強ロープで補強された仕切り材では、補強ロープを固定部材６００の固定ビス７００直下に配置しなければ、固定ビス７００の締め込みによって、固定部材６００が傾いて取り付けられ、側縁部を見栄えよく固定することができない。
【００１１】
本考案は、上記事情に鑑みて、大径のロープ等の厚肉部を側縁に有するネット状材やシート状材を仕切り材として用いた場合においても、容易に見栄えよく仕切り材の側縁部を挟着固定することができる仕切り材支持用棒材およびこの仕切り材支持用棒材を備えた仕切り材の側縁支持ユニットを提供することを目的としている。
【課題を解決するための手段】
【００１２】
上記目的を達成するために、本考案にかかる仕切り材支持用棒材は、上方に設けられるガイドレールに懸垂状態で、前記ガイドレールの軌道に沿ってスライド自在に支持される角筒状をした棒材本体と、この棒材本体の軸方向に連続する状態で、棒材本体の一側壁から延出し、シート状またはネット状をした仕切り材の側縁部を受けて、固定部材との間で前記仕切り材の側縁部を挟着する挟着面を有する仕切り材挟着部を備える仕切り材支持用棒材であって、前記仕切り材が、仕切り材本体と、この仕切り材本体より厚肉で、前記仕切り材本体の側縁に沿って設けられた側縁厚肉部を備える場合に、前記仕切り材本体の側縁部が前記仕切り材挟着部に密着した状態で、前記側縁厚肉部を挿入可能な凹溝が、前記棒材本体の前記仕切り材挟着部が設けられた面に設けられていることを特徴としている。
【００１３】
本考案において、仕切り材支持用棒材としては、たとえば、アルミニウムまたはアルミニウム合金などの軽量金属の押出成形品、繊維強化樹脂の成形品、エンジニアリングプラスチックの成形品などが用いることができる。
【００１４】
本考案の仕切り材支持用棒材は、特に限定されないが、前記凹溝の一側壁面が、前記仕切り材挟着部の挟着面に連続した状態に設けられていることが好ましい。
すなわち、仕切り材の側縁厚肉部を挟着面に沿わせながら凹溝内に挿入することができるため、仕切り材の側縁部をねじれさせることがなく、スムーズに挿入でき、作業性がよい。
【００１５】
本考案の仕切り材支持用棒材は、特に限定されないが、前記凹溝が、その底が断面半円形をした断面略Ｕ字形をしていてもよい。
すなわち、ネット本体と、ネット本体の周縁部を補強するように設けた大径のロープで構成された仕切り材のように仕切り材の側縁厚肉部が断面円形をしている場合、側縁厚肉部を凹溝の底まで接触するように凹溝に挿入すれば、仕切り材の側縁厚肉部の位置決めが容易となる。
【００１６】
一方、本考案にかかる仕切り材の側縁部支持ユニット（以下、「本考案の側縁部支持ユニット」と記す）は、上記本考案の仕切り材支持用棒材と、前記固定部材を備え、前記固定部材が前記仕切り材本体の側縁部を前記仕切り材挟着部との間で挟着する固定部本体と、この固定部本体から立ち上がり、前記凹溝の開口部を覆い、前記凹溝に入り込んだ前記側縁厚肉部の離脱を防止する立ち上がり部からなることを特徴としている。
【考案の効果】
【００１７】
以上のように、本考案の仕切り材支持用棒材は、上方に設けられるガイドレールに懸垂状態で、前記ガイドレールの軌道に沿ってスライド自在に支持される角筒状をした棒材本体と、この棒材本体の軸方向に連続する状態で、棒材本体の一側壁から延出し、シート状またはネット状をした仕切り材の側縁部を受けて、固定部材との間で前記仕切り材の側縁部を挟着する挟着面を有する仕切り材挟着部を備える仕切り材支持用棒材であって、前記仕切り材が、仕切り材本体と、この仕切り材本体より厚肉で、前記仕切り材本体の側縁に沿って設けられた側縁厚肉部を備える場合に、前記仕切り材本体の側縁部が前記仕切り材挟着部に密着した状態で、前記側縁厚肉部を挿入可能な凹溝が、前記棒材本体の前記仕切り材挟着部が設けられた面に設けられている。
【００１８】
したがって、仕切り材の全体がほぼ均一な厚みである場合はもとより、仕切り材本体より厚肉の側縁厚肉部が設けられている場合においても、側縁厚肉部が凹溝に嵌まり込むことによって、薄肉の仕切り材本体の側縁部が仕切り材挟着部の挟着面と固定部材との間でしっかりと挟着固定される。
【００１９】
本考案の側縁部支持ユニットは、上記のように、上記本考案の仕切り材支持用棒材と、前記固定部材を備え、前記固定部材が前記仕切り材本体の側縁部を前記仕切り材挟着部との間で挟着する固定部本体と、この固定部本体から立ち上がり、前記凹溝の開口部を覆い、前記凹溝に入り込んだ前記側縁厚肉部の離脱を防止する立ち上がり部からなるので、立ち上がり部によって、側縁厚肉部が外部から視認しにくくなり、見栄えがよくなる。
しかも、仕切り材に仕切り材支持用棒材から遠ざかる方向に負荷がかかっても、側縁厚肉部が立ち上がり部に引っ掛かり、しっかりした固定状態を保持することができる。
【図面の簡単な説明】
【００２０】
【図１】本考案の仕切り材支持用棒材の１つの実施の形態をあらわす平面図である。
【図２】図１の仕切り材支持用棒材に側縁部に大径の補強用ロープが設けられたネット状の仕切り材を、固定部材を用いて固定する状態を説明する斜視図である。
【図３】図２のネット状の仕切り材の側縁部の挟着固定方法を説明する断面図であって、その固定ビスの締め込み完了直線の状態をあらわしている。
【図４】図１の仕切り材支持用棒材に側縁に厚肉部を備えていないシート状の仕切り材を、固定部材を用いて固定する状態を説明する斜視図である。
【図５】図４のシート状の仕切り材の側縁部の挟着固定方法を説明する断面図であって、その固定ビスの締め込み完了直線の状態をあらわしている。
【図６】従来の間仕切りの分解斜視図である。
【図７】従来の間仕切りの間仕切り同士をゴム磁石により吸着固定した状態の横断面図である。
【考案を実施するための形態】
【００２１】
以下に、本考案を、その実施の形態を参照しつつ詳しく説明する。
図１は、本考案の仕切り材支持用棒材の第１の実施の形態をあらわしている。
【００２２】
図１に示すように、この仕切り材支持用棒材１は、アルミニウムあるいはアルミニウム合金の押出材を所望長さに切断して形成されていて、棒材本体１１と、仕切り材挟着部１３を備えている。
棒材本体１１は、ほぼ四角筒状をしていて、その一側壁１１aに凹溝１２が凹設されている。
【００２３】
凹溝１２は、両側壁１２ａが平行になるように形成されるとともに、その底１２ｂが断面半円形をした断面略U字形をしている
仕切り材挟着部１３は、棒材本体１１の一側壁１１aから外側に突設された状態になっていて、挟着面１３ａを備えている。
【００２４】
挟着面１３ａは、凹溝の一方の側壁とほぼ面一になるように設けられているとともに、棒材本体１１の長手軸に平行に滑り止め凹溝１３ａが穿設されている。
また、棒材本体１１の仕切り材挟着部１３が突設された面と反対側の面には、従来の仕切り材支持用棒材１００と同様に、たとえば、ゴム磁石３００が嵌合される第１嵌合溝１４が設けられている。
棒材本体１１の残りの２面には、従来の仕切り材支持用棒材１００と同様に、たとえば、ハンドル４００が嵌合される第２嵌合溝１５が設けられている。
【００２５】
図２、図３は、ネット状をした仕切り材３ａの側縁部を挟着固定する仕切り材支持用棒材１の第１の使用例を示している。
なお、第１の使用例において、仕切り材３ａは、図２に示すように、細い繊維が撚られた小径ロープで網目状に作製された仕切り材本体となるネット本体３１と、このネット本体３１の周縁を補強するように設けられた太い繊維が撚られた大径の補強ロープ３２を備えている。
【００２６】
そして、この第１の使用例では、仕切り材支持用棒材１が、図２、図３に示すように、ローラーユニット４および固定部材２とともに、仕切り材３ａの側縁部支持ユニットを構成している。
ローラーユニット４は、従来の仕切り材支持用棒材１００と同様に、棒材本体１１の上端に固定されて、ローラー４１が図示していないガイドレールに沿ってスライド自在に嵌まり込み、仕切り材支持用棒材１を前記ガイドレールに懸垂状態でカイドレールの軌跡に沿って移動自在に支持するようになっている。
【００２７】
固定部材２は、アルミニウムあるいはアルミニウム合金製の押出材が所望長さに切断されて形成されていて、挟着面１３ａの幅とほぼ同じ幅をした平板状の固定部本体２１と、この固定部本体２１の一端から立ち上がり、凹溝１２の開口と同じか少し大きい幅をした平板状の立ち上がり部２２を備え、断面略Ｌ字形をしている。
【００２８】
そして、この第１の使用例では、図３に示すように、仕切り材３aの側縁部の一部を構成する補強ロープ３２を凹溝１２内に臨ませるとともに、ネット本体３１の側縁部を挟着面１３ａと、固定部材２の固定部本体２１との間に配置し、固定部本体２１側から仕切り材挟着部１３に向かって固定ビス２３をねじ込んで行き、図示していないが、図３の状態よりさらに固定ビス２３をねじ込むことによって、ネット本体３１の側縁部が挟着面１３ａと固定部本体２１との間に挟着状態にする。
また、この挟着状態で、図示していないが、ネット本体３１の一部が、滑り止め凹溝１２に入り込むため、ネット本体３１の側縁部がしっかりと位置固定される。
【００２９】
一方、この挟着状態で、立ち上がり部２２が、図３に示すように、凹溝１２の開口を塞いだ状態になり、補強ロープ３２がこの立ち上がり部２２に引っ掛かる。
したがって、ネット本体３１を持って側縁部支持ユニットをガイドレールに沿ってスライドさせる場合のようにネット本体３１に大きな力が加わるとともに、万一、固定ビス２３が弛み、ネット本体３１の挟着が不十分になったとしても、仕切り材３ａの離脱を防止することができる。
【００３０】
図４、図５は、シート状の仕切り材３ｂの側縁部を挟着固定する仕切り材支持用棒材１の第１の使用例を示している。
図４、図５に示すように、第２の使用例は、仕切り材３ｂが繊維強化樹脂を含む合成樹脂製シートで形成され、側縁部に厚肉部を備えていない以外は、上記第１の使用例と同様になっている。
【００３１】
すなわち、この第２の使用例では、図５に示すように、仕切り材３ｂの側縁が、凹溝１２内に入り込むように仕切り材３ｂを配置した状態で、固定部本体２１が仕切り材３ｂの側縁部を挟着面１３ａとの間で挟着固定されるようになっている以外は、上記第１の使用例と同様になっている。
【００３２】
第２の使用例では、仕切り材３ｂの側縁に切断不良や破れ等の欠損部があっても、欠損部を凹溝１２内に収容できる。
したがって、仕切り材３ｂの欠損部の内側で仕切り材３ｂの側縁部が挟着面１３ａと固定部本体２１との間で全長にわたってしっかりと挟着固定できる。
しかも、欠損部が立ち上がり部２２によって外部から視認できないので、見栄えのよいものとなる。
【００３３】
本考案は、上記の実施の形態に限定されない。上記の実施の形態では、第１嵌合溝、第２嵌合溝が設けられていたが、ハンドルやゴム磁石を棒材本体にビス止めしたり、接着したりする場合、第１嵌合溝、第２嵌合溝はなくても構わないし、いずれか一方だけ設けるようにしても構わない。
【００３４】
上記の実施の形態では、ネット本体の補強に大径のロープが用いられていたが、金属や合成樹脂で形成された枠材で補強するようにしても構わない。
上記の実施の形態では、固定部材が断面Ｌ字形をしていたが、側縁厚肉部を係止できれば、厚肉の平板材であっても構わない。
【００３５】
上記の実施の形態では、凹溝の底が断面半円形をしていたが、断面三角形など他の断面形状でも構わない。
上記の実施の形態では、挟着面にすべり止め凹溝が穿設されていたが、挟着面に沿ってすべり止めのゴムシートを貼り付けるようにしても構わない。
【００３６】
上記の実施の形態では、ネット本体が小径ロープで形成されていたが、樹脂の短繊維で形成されていても構わない。
【符号の説明】
【００３７】
１  仕切り材支持用棒材
１１  棒材本体
１１a  一側壁
１２  凹溝
１２ａ  側壁
１２ｂ  底
１３  仕切り材挟着部
１３ａ  挟着面
１３ｂ  滑り止め凹溝
２  固定部材
２１  固定部本体
２２  立ち上がり部
３ａ、３ｂ  仕切り材
３１  ネット本体（仕切り材本体）
３２  補強ロープ（側縁厚肉部）
４  ローラーユニット
４１  ローラー
【図１】
0003233936.tif 000003
【図２】
0003233936.tif 000004
【図３】
0003233936.tif 000005
【図４】
0003233936.tif 000006
【図５】
0003233936.tif 000007
【図６】
0003233936.tif 000008
【図７】
0003233936.tif 000009